(57)【要約】【課題】端子ユニットを抜止めする機能の信頼性向上を図る。【解決手段】端子ユニット３０は、本体部３２からタブ３３を突出させた内導体３１と、本体部３２を収容した状態で内導体３１を保持する誘電体４０とを備え、第１ランス１４とフロントリテーナ１７と第１収容室１３とを有する第１ハウジング１０と、第２ランス２２と第２収容室２１とサイドリテーナ２５とを有する第２ハウジング２０とに対し選択的に取り付け可能である。誘電体４０の外面には第１係止部４７と第２係止部５１が形成され、第１収容室１３に挿入された端子ユニット３０は、フロントリテーナ１７が第１ランス１４の弾性撓みを規制し、第１係止部４７が第１ランス１４と係止することで抜止めされる。第２収容室２１に挿入された端子ユニット３０は、第１係止部４７と第２ランス２２との係止及び第２係止部５１とサイドリテーナ２５との係止により抜止めされる。【選択図】図２
2018152216.tif 000002
【特許請求の範囲】
【請求項１】
本体部から前方へタブを突出させた内導体と、前記本体部を収容した状態で前記内導体を保持する誘電体とを備えて構成され、
弾性撓み可能な第１ランスと前記第１ランスの弾性撓みを規制可能なフロントリテーナと第１収容室とを有する第１ハウジングと、弾性撓み可能な第２ランスと第２収容室と前記第２収容室に臨むサイドリテーナとを有する第２ハウジングとに対し選択的に取り付け可能な端子ユニットであって、
前記誘電体の外面には第１係止部と第２係止部とが形成されており、
前記端子ユニットが前記第１収容室に挿入された状態では、前記フロントリテーナが前記第１ランスの弾性撓みを規制し、前記第１係止部が前記第１ランスと係止することで、前記端子ユニットが抜止めされ、
前記端子ユニットが前記第２収容室に挿入された状態では、前記第１係止部と前記第２ランスとの係止及び前記第２係止部と前記サイドリテーナとの係止により前記端子ユニットが抜止めされるようになっていることを特徴とする端子ユニット。
【請求項２】
前記第１係止部と前記第２係止部が、前記誘電体の外面における同一平面上に形成され、且つ前記第１収容室又は前記第２収容室への挿入方向と交差する幅方向に関して互いに異なる位置に配されていることを特徴とする請求項１記載の端子ユニット。
【請求項３】
前記誘電体の外面のうち前記第２係止部の挿入方向前方には、前記第１収容室又は前記第２収容室に挿入された前記端子ユニットが正規挿入位置を超えて移動することを規制する前止まり部が形成されてることを特徴とする請求項２記載の端子ユニット。
【請求項４】
前記第２係止部と前記前止まり部が単一の突起部に一体形成されていることを特徴とする請求項３記載の端子ユニット。
【請求項５】
一対の前記突起部が、前記第１収容室又は前記第２収容室への挿入方向と交差する幅方向に関して、前記第１係止部を両側から挟むように配されていることを特徴とする請求項４記載の端子ユニット。
【請求項６】
本体部から前方へタブを突出させた内導体と、前記本体部を収容した状態で前記内導体を保持する誘電体とを有する端子ユニットを、第１ハウジングに形成した第１収容室と第２ハウジングに形成した第２収容室のうちいずれかの前記収容室に選択的に挿入されることで構成されるものであり、
前記第１収容室に形成された弾性撓み可能な第１ランスと、
前記第１ハウジングに取り付けられることで、前記第１ランスの弾性撓みを規制するフロントリテーナと、
前記第２収容室に形成された弾性撓み可能な第２ランスと、
前記第２収容室内に臨むように前記第２ハウジングに取り付けられるサイドリテーナと、
前記誘電体の外面に形成され、前記端子ユニットが前記第１収容室に挿入されたときには前記第１ランスと係止することで前記端子ユニットを抜止めし、前記端子ユニットが前記第２収容室に挿入されたときには前記第２ランスと係止することで前記端子ユニットを抜止めする第１係止部と、
前記誘電体の外面に形成され、前記端子ユニットが前記第２収容室に挿入されたときには前記サイドリテーナと係止することで前記端子ユニットを抜止めする第２係止部とを備えていることを特徴とするコネクタ。
【発明の詳細な説明】
【技術分野】
【０００１】
本発明は、端子ユニット及びコネクタに関するものである。
【背景技術】
【０００２】
特許文献１には、内導体端子を誘電体に収容した端子ユニットと、端子ユニットを収容するハウジングとを備えたコネクタが開示されている。この種のコネクタにおいて、ハウジングに挿入した端子ユニットを抜止め状態に保持する手段として、ハウジングに形成した弾性撓み可能なランスを、誘電体の外面に形成した係止突起に係止させる構造が考えられる。
【先行技術文献】
【特許文献】
【０００３】
【特許文献１】特開２０１２−１２９１０３号公報
【発明の概要】
【発明が解決しようとする課題】
【０００４】
ランスは弾性撓み可能であることから、衝撃や振動等によって係止突起から解離することが懸念される。そのため、端子ユニットを抜止めする機能の信頼性向上を図ることが望まれる。
【０００５】
本発明は上記のような事情に基づいて完成されたものであって、端子ユニットを抜止めする機能の信頼性向上を図ることを目的とする。
【課題を解決するための手段】
【０００６】
第１の発明の端子ユニットは、
本体部から前方へタブを突出させた内導体と、前記本体部を収容した状態で前記内導体を保持する誘電体とを備えて構成され、
弾性撓み可能な第１ランスと前記第１ランスの弾性撓みを規制可能なフロントリテーナと第１収容室とを有する第１ハウジングと、弾性撓み可能な第２ランスと第２収容室と前記第２収容室に臨むサイドリテーナとを有する第２ハウジングとに対し選択的に取り付け可能な端子ユニットであって、
前記誘電体の外面には第１係止部と第２係止部とが形成されており、
前記端子ユニットが前記第１収容室に挿入された状態では、前記フロントリテーナが前記第１ランスの弾性撓みを規制し、前記第１係止部が前記第１ランスと係止することで、前記端子ユニットが抜止めされ、
前記端子ユニットが前記第２収容室に挿入された状態では、前記第１係止部と前記第２ランスとの係止及び前記第２係止部と前記サイドリテーナとの係止により前記端子ユニットが抜止めされるようになっているところに特徴を有する。
【０００７】
第２の発明のコネクタは、
本体部から前方へタブを突出させた内導体と、前記本体部を収容した状態で前記内導体を保持する誘電体とを有する端子ユニットを、第１ハウジングに形成した第１収容室と第２ハウジングに形成した第２収容室のうちいずれかの前記収容室に選択的に挿入されることで構成されるものであり、
前記第１収容室に形成された弾性撓み可能な第１ランスと、
前記第１ハウジングに取り付けられることで、前記第１ランスの弾性撓みを規制するフロントリテーナと、
前記第２収容室に形成された弾性撓み可能な第２ランスと、
前記第２収容室内に臨むように前記第２ハウジングに取り付けられるサイドリテーナと、
前記誘電体の外面に形成され、前記端子ユニットが前記第１収容室に挿入されたときには前記第１ランスと係止することで前記端子ユニットを抜止めし、前記端子ユニットが前記第２収容室に挿入されたときには前記第２ランスと係止することで前記端子ユニットを抜止めする第１係止部と、
前記誘電体の外面に形成され、前記端子ユニットが前記第２収容室に挿入されたときには前記サイドリテーナと係止することで前記端子ユニットを抜止めする第２係止部とを備えているところに特徴を有する。
【発明の効果】
【０００８】
第１収容室に端子ユニットを挿入したときは、第１係止部を第１ランスに係止させるとともに、フロントリテーナを第１ハウジングに取り付けてランスの弾性撓みを規制することで、端子ユニットを確実に抜止めすることができる。第２収容室に端子ユニットを挿入したときには、第１係止部を第２ランスに係止させるとともに、第２係止部にサイドリテーナを係止させることで、端子ユニットを確実に抜止めすることができる。端子ユニットは、タイプの異なる第１ハウジングと第２ハウジングに対して共通の部材として使用することができる。
【図面の簡単な説明】
【０００９】
【図１】実施例１の第１コネクタにおいて第１ハウジングと端子ユニットを分離した状態をあらわす斜視図
【図２】第１コネクタにおいてフロントリテーナが本係止位置にある状態をあらわす側断面図
【図３】第１コネクタにおいてフロントリテーナが仮係止位置にある状態をあらわす側断面図
【図４】第２コネクタにおいてサイドリテーナが本係止位置にある状態をあらわす側断面図
【図５】第２コネクタにおいて本係止位置のサイドリテーナと第２係止部が係止している状態をあらわす側断面図
【図６】第２コネクタにおいてサイドリテーナが仮係止位置にある状態をあらわす側断面図
【図７】端子ユニットの側断面図
【図８】第２コネクタにおいて第２ハウジングに端子ユニットを取り付けた状態をあらわす斜視図
【図９】内導体とツイストペア線を接続した状態をあらわす斜視図
【図１０】第１部品の斜視図
【図１１】第１部品の上下反転した状態の斜視図
【図１２】第２部品の斜視図
【発明を実施するための形態】
【００１０】
第１及び第２の発明は、前記第１係止部と前記第２係止部が、前記誘電体の外面における同一平面上に形成され、且つ前記第１収容室又は前記第２収容室への挿入方向と交差する幅方向に関して互いに異なる位置に配されていてもよい。この構成によれば、第１係止部と第２係止部を、同一平面上に配置しながら、第１係止部がサイドリテーナと干渉することを回避できるとともに、第２係止部が第１ランスや第２ランスと干渉することを回避できる。
【００１１】
第１及び第２の発明は、前記誘電体の外面のうち前記第２係止部の挿入方向前方には、前記第１収容室又は前記第２収容室に挿入された前記端子ユニットが正規挿入位置を超えて移動することを規制する前止まり部が形成されていてもよい。前止まり部が形成されている位置は、第２係止部と同じく、第１ランスや第２ランスが弾性的に当接しない。したがって、前止まり部を第１係止部と同一平面上に形成しても、第１ランスや第２ランスとの弾性的な干渉に起因する挿入抵抗が生じることはない。
【００１２】
第１及び第２の発明は、前記第２係止部と前記前止まり部が単一の突起部に一体形成されていてもよい。この構成によれば、第２係止部と前止まり部を別々に突出させた形態に比べると、第２係止部と前止まり部の強度を高めることができる。
【００１３】
第１及び第２の発明は、一対の前記突起部が、前記第１収容室又は前記第２収容室への挿入方向と交差する幅方向に関して、前記第１係止部を両側から挟むように配されていてもよい。この構成によれば、一対の突起部が、第１係止部に係止されている第１ランスや第２ランスを挟むことにより、第１ランスや第２ランスの幅方向に位置ずれを防止できる。
【００１４】
＜実施例１＞
以下、本発明を具体化した実施例１を図１〜図１２を参照して説明する。尚、以下の説明において、前後の方向については、図１〜１２における左方を前方と定義する。上下の方向については、図１〜１０，１２にあらわれる向きを、そのまま上方、下方と定義する。
【００１５】
本実施例１の端子ユニット３０は、第１ハウジング１０に取り付けられることで防水タイプの第１コネクタＡ（請求項に記載のコネクタ）を構成するとともに、第２ハウジング２０に取り付けられることで非防水タイプの第２コネクタＢ（請求項に記載のコネクタ）を構成する。
【００１６】
第１ハウジング１０は、合成樹脂製であり、図２，３に示すように、収容部１１と、収容部１１の前端外周から前方へ突出したフード部１２とを有する単一部品である。収容部１１の内部には第１収容室１３が形成されている。第１収容室１３には、第１ハウジング１０の後方から端子ユニット３０が挿入されるようになっている。第１収容室１３の内部上面には、前方へ片持ち状に延出した形態であって上方へ弾性撓み可能な第１ランス１４が形成されている。第１収容室１３の内部上面には、段差状の第１ストッパ１５が形成されている。
【００１７】
収容部１１には、第１ランス１４が上方へ弾性撓みすることを許容するための撓み空間１６が形成されている。収容部１１には、第１ハウジング１０の前方からフロントリテーナ１７が取り付けられている。収容部１１に取り付けたフロントリテーナ１７は、図３に示すように、撓み空間１６の前方へ退避して第１ランス１４の弾性撓みを許容する仮係止位置と、図２に示すように、撓み空間１６内に進出して第１ランス１４の弾性撓みを規制する本係止位置との間で前後方向に移動可能となっている。撓み空間１６は、収容部１１の外周面には開口せず、収容部１１の前端面に開口している。
【００１８】
第２ハウジング２０は、合成樹脂製である。図４〜６に示すように、第２ハウジング２０の内部には、第２収容室２１が形成されている。第２収容室２１には、第２ハウジング２０の後方から端子ユニット３０が挿入されるようになっている。第２収容室２１の内部上面には、前方へ片持ち状に延出した形態であって上方へ弾性撓み可能な第２ランス２２が形成されている。第２収容室２１の内部上面には、段差状の第２ストッパ２３が形成されている。
【００１９】
第２ハウジング２０には、その上面（外面）から第２収容室２１内に連通する取付孔２４が形成されている。取付孔２４は第２ランス２２の後方に配されている。取付孔２４には、サイドリテーナ２５が取り付けられている。取付孔２４に取り付けたサイドリテーナ２５は、図６に示すように、第２収容室２１の外部へ退避した仮係止位置と、図４，５に示すように、第２収容室２１内に進出した本係止位置との間で上下方向（第２収容室２１に対する端子ユニット３０の挿抜方向と交差する方向）に移動し得るようになっている。
【００２０】
端子ユニット３０は、自動車のイーサネット（登録商標）高速通信回路用のワイヤーハーネスを構成する接続部材であり、一対の内導体３１を誘電体４０に収容して構成されている。内導体３１は、全体として前後方向に細長い形状である。内導体３１は、角筒状の本体部３２と、本体部３２から前方へ突出した細長いタブ３３と、本体部３２の後端に連なるオープンバレル状の圧着部３４とを有している。圧着部３４には、電線３５の前端部が導通可能に固着されている。２つの内導体３１に接続された一対の電線３５はツイストペア線３６を構成する。
【００２１】
誘電体４０は、半割状をなす合成樹脂製の第１部品４１と、半割状をなす合成樹脂製の第２部品５２とを、上下方向（電線３５の前端部の軸線と交差する方向）に合体させて構成されている。第１部品４１は、ポリブチレンテレフタレート（ＰＢＴ）製であり、前後方向に細長い上壁部４２と、上壁部４２の左右両側縁から下方へ延出した左右一対の側壁部４３と、上壁部４２の前後方向中央部から下方へ延出した隔壁部４４とが形成されている。一対の側壁部４３と隔壁部４４との間の領域は、前後方向に細長い左右一対の溝部４５となっている。左右一対の隔壁部４４の外側面には、前後方向に細長い左右一対のロック溝４６が形成されている。
【００２２】
上壁部４２の上面（外面）の前端部には、突起状をなす第１係止部４７が一体に形成されている。第１係止部４７は、上壁部４２の左右方向中央部に配されている。第１係止部４７の前端部には、前後方向（第１ハウジング１０及び第２ハウジング２０への端子ユニット３０の挿入方向）に対して傾斜した傾斜面４８が形成されている。第１係止部４７の後端面は、前後方向に対して略直角な係止面となっている。
【００２３】
上壁部４２の上面には、前後方向にリブ状に延びた左右一対の突起部４９が形成されている。突起部４９は、左右方向においては、上壁部４２の左右両側縁部に配され、第１係止部４７の左右両外側面よりも外方の領域に配されている。左右一対の突起部４９の前端は、前後方向において、第１係止部４７の後端と概ね同じ位置に配されている。したがって、突起部４９の全体は第１係止部４７より後方に配されている。左右一対の突起部４９の前端部は、前後方向に対して略直角な前止まり面を有する前止まり部５０となっている。左右一対の突起部４９の後端部は、前後方向に対して略直角な係止面を有する第２係止部５１となっている。
【００２４】
第２部品５２は、ポリブチレンテレフタレート（ＰＢＴ）製であり、前後方向に細長い底壁部５３と、底壁部５３の左右両側縁から上方へ延出した左右一対の外壁部５４とを有している。左右両外壁部５４の延出端の内面には、ロックリブ５５が形成されている。
【００２５】
第１部品４１と第２部品５２を組み付ける際には、第１部品４１の左右両溝部４５に一対の内導体３１のうち本体部３２と圧着部３４を収容する。第１部品４１と第２部品５２は、電線３５の前端部と略直角に交差する上下方向に分割し、且つ合体する形態なので、内導体３１を第１部品４１に取り付けるときの移動方向も、電線３５の前端部の軸線と略直角に交差する方向である。これにより、ツイストペア線３６を構成する２本の電線３５の前端部においては、電線３５の撚りを解く長さを極力短く抑えることができるので、電線３５の撚りを解くことに起因するノイズ低減機能の低下を回避できる。
【００２６】
第１部品４１に一対の内導体３１を取り付けた後、第１部品４１に対し第２部品５２を下方から合体させるようにして組み付ける。合体した第１部品４１と第２部品５２は、ロック溝４６とロックリブ５５との係止によって合体状態に保持される。第１部品４１に対する第２部品５２の組付け方向は、電線３５の前端部の軸線と略直角に交差する方向である。第１部品４１と第２部品５２を合体すると、誘電体４０が構成されるとともに、誘電体４０に一対の内導体３１が取り付けられた状態となり、端子ユニット３０の組付けが完了する。
【００２７】
端子ユニット３０を第１ハウジング１０に取り付ける際には、予め、ツイストペア線３６の外周にゴム栓１８を取り付けておき、フロントリテーナ１７を仮係止位置に保持した状態で、端子ユニット３０を第１ハウジング１０の後方から第１収容室１３に挿入する。端子ユニット３０の挿入過程では、第１係止部４７の傾斜面４８が第１ランス１４を弾性撓みさせる。
【００２８】
端子ユニット３０が正規挿入されると、前止まり部５０が第１ストッパ１５に突き当たることで端子ユニット３０が前止まりされるとともに、第１係止部４７が第１ランス１４に係止することで、端子ユニット３０が第１ハウジング１０に対し抜止めされる。また、第１収容室１３の後端の開口がゴム栓１８によって液密状に閉塞される。以上により、端子ユニット３０が一次係止される。
【００２９】
端子ユニット３０を正規挿入した後、仮係止位置のフロントリテーナ１７を、本係止位置へ押し込み、撓み空間１６内に進出させる。これにより、第１ランス１４が第１係止部４７から解離する方向への弾性撓みを規制されるので、端子ユニット３０は、二次係止状態となる。このように、端子ユニット３０は、第１ランス１４による一次係止とフロントリテーナ１７による二次係止により、確実に抜止めされる。
【００３０】
端子ユニット３０を第２ハウジング２０に取り付ける際には、サイドリテーナ２５を仮係止位置に保持した状態で、端子ユニット３０を第２収容室２１に挿入する。端子ユニット３０の挿入過程では、第１係止部４７の傾斜面４８が第２ランス２２を弾性撓みさせる。端子ユニット３０が正規挿入されると、前止まり部５０が第２ストッパ２３に突き当たることで端子ユニット３０が前止まりされるとともに、第１係止部４７が第２ランス２２に係止することで、端子ユニット３０が第２ハウジング２０に対し抜止めされる。以上により、端子ユニット３０が一次係止される。
【００３１】
端子ユニット３０を正規挿入した後、仮係止位置のサイドリテーナ２５を、本係止位置へ押し込み、第２収容室２１内に進出させる。これにより、サイドリテーナ２５が第２係止部５１に対し後方から係止するので、端子ユニット３０は、二次係止状態となる。このように、端子ユニット３０は、第２ランス２２による一次係止とサイドリテーナ２５による二次係止により、確実に抜止めされる。
【００３２】
本実施例１の第１コネクタＡは、端子ユニット３０を、第１ハウジング１０に形成した第１収容室１３に挿入されることで構成されている。また、第２コネクタＢは、端子ユニット３０を、第２ハウジング２０に形成した第２収容室２１に挿入されることで構成されている。
【００３３】
端子ユニット３０は、本体部３２から前方へタブ３３を突出させた内導体３１と、本体部３２を収容した状態で内導体３１を保持する誘電体４０とを備えて構成されており、第１ハウジング１０と第２ハウジング２０とに対し選択的に取り付けられるようになっている。換言すると、端子ユニット３０は、第１ハウジング１０と第２ハウジング２０の双方に取付け可能であり、且つ必要に応じて第１ハウジング１０と第２ハウジング２０のうちいずれか一方に取り付けるようにしたものである。
【００３４】
第１ハウジング１０は、弾性撓み可能な第１ランス１４と、第１ランス１４の弾性撓みを規制可能なフロントリテーナ１７と、第１収容室１３とを有している。第２ハウジング２０は、弾性撓み可能な第２ランス２２と、第２収容室２１と、第２収容室２１に臨むサイドリテーナ２５とを有している。
【００３５】
誘電体４０の外面には第１係止部４７と第２係止部５１とが形成されている。端子ユニット３０が第１収容室１３に挿入された状態では、第１係止部４７が第１ランス１４に係止するとともに、フロントリテーナ１７が第１ランス１４の弾性撓みを規制し、以上により、端子ユニット３０が確実に抜止めされる。また、端子ユニット３０が第２収容室２１に挿入された状態では、第１係止部４７と第２ランス２２との係止及び第２係止部５１とサイドリテーナ２５との係止により、端子ユニット３０が確実に抜止めされる。
【００３６】
このように、本実施例１の端子ユニット３０は、第１ハウジング１０と第２ハウジング２０のいずれに取り付けた場合でも、端子ユニット３０を抜止めする機能の信頼性に優れている。また、端子ユニット３０は、タイプの異なる防水用の第１ハウジング１０と非防水用第２ハウジング２０に対して共通の部材として使用することができる。
【００３７】
また、第１係止部４７と第２係止部５１は、誘電体４０の外面における同一平面上（上壁部４２の外面）に形成され、且つ第１収容室１３又は第２収容室２１への挿入方向と交差する幅方向（左右方向）に関して互いに異なる位置に配されている。この構成によれば、第１係止部４７と第２係止部５１を、同一平面上（上壁部４２の外面）に配置しながら、第１係止部４７がサイドリテーナ２５と干渉することを回避できるとともに、第２係止部５１が第１ランス１４や第２ランス２２と干渉することを回避できる。
【００３８】
また、誘電体４０の外面のうち第２係止部５１の挿入方向前方には、第１収容室１３又は第２収容室２１に挿入された端子ユニット３０が正規挿入位置を超えて移動することを規制する前止まり部５０が形成されている。前止まり部５０が形成されている位置は、第２係止部５１と同じく、第１ランス１４や第２ランス２２が弾性的に当接しない。したがって、前止まり部５０を第１係止部４７と同一平面上（上壁部４２の外面）に形成しても、前止まり部５０が第１ランス１４や第２ランス２２と弾性的に干渉することに起因する挿入抵抗は、生じることがない。
【００３９】
また、第２係止部５１と前止まり部５０が単一の突起部４９に一体形成されている。この構成によれば、第２係止部５１と前止まり部５０を別々に突出させた形態に比べると、第２係止部５１と前止まり部５０の強度を高めることができる。
【００４０】
また、左右一対の突起部４９は、第１収容室１３又は第２収容室２１への挿入方向と交差する幅方向（左右方向）に関して、第１係止部４７を両側から挟むように配されている。この構成によれば、一対の突起部４９が、第１係止部４７に係止されている第１ランス１４や第２ランス２２を挟むことにより、第１ランス１４や第２ランス２２の幅方向に位置ずれを防止できる。
【００４１】
＜他の実施例＞
本発明は上記記述及び図面によって説明した実施例に限定されるものではなく、例えば次のような実施例も本発明の技術的範囲に含まれる。
（１）上記実施例１では、第１係止部と第２係止部を誘電体の外面における同一平面上に配したが、第１係止部と第２係止部を、誘電体の外面のうち反対側の領域に配してもよい。
（２）上記実施例１では、前止まり部を第１係止部及び第２係止部と同一の平面上に配したが、前止まり部は、第１係止部や第２係止部とは異なる平面領域に配してもよい。
（３）上記実施例では、第２係止部と前止まり部を単一の突起部に一体形成したが、第２係止部と前止まり部を独立した突起状としてもよい。
（４）上記実施例１では、一対の突起部が、第１ランスや第２ランスを幅方向に挟むように配されているが、突起部は、第１ランスや第２ランスの一方の側面のみに沿うように配されていてもよい。
（５）上記実施例１では、第１係止部の数を１つだけとしたが、第１係止部の数は２つ以上でもよい。
（６）上記実施例１では、第２係止部を一対形成したが、第２係止部の数は１つでもよく、３つ以上でもよい。
（７）上記実施例１では、前止まり部を一対形成したが、前止まり部の数は１つでもよく、３つ以上でもよい。
（８）上記実施例１では、１つの誘電体に２つの内導体を取り付けたが、１つの誘電体に収容する内導体の数は、１つ又は３つ以上であってもよい。
（９）上記実施例１では、誘電体が第１部品と第２部品との２部品で構成されているが、誘電体は単一部品であってもよい。
（１０）上記実施例１では、一対の内導体に接続した２本の電線がツイストペア線を構成するものであるが、本発明は、内導体に接続する電線がツイストペア線を構成しない場合にも適用できる。
（１１）上記実施例１では、第１部品の材料、材質をポリブチレンテレフタレート（ＰＢＴ）としたが、第１部品の材料、材質はポリブチレンテレフタレート以外であってもよい。
（１２）上記実施例１では、第２部品の材料、材質をポリブチレンテレフタレート（ＰＢＴ）としたが、第２部品の材料、材質は、ポリブチレンテレフタレート以外の合成樹脂であってもよい。
（１３）上記実施例１では、第１部品と第２部品の材料又は材質の組合せが、共に、ポリブチレンテレフタレート（ＰＢＴ）であるが、第１部品と第２部品の材料又は材質の組合せは、ポリエチレンテレフタレート（ＰＥＴ）とポリプロピレン（ＰＰ）としてもよく、ポリブチレンテレフタレートとポリエチレン（ＰＥ）としてもよく、ポリブチレンテレフタレートと発泡ポリブチレンテレフタレートとしてもよい。
【符号の説明】
【００４２】
Ａ…第１コネクタ（コネクタ）
Ｂ…第２コネクタ（コネクタ）
１０…第１ハウジング
１３…第１収容室
１４…第１ランス
１７…フロントリテーナ
２０…第２ハウジング
２１…第２収容室
２２…第２ランス
２５…サイドリテーナ
３０…端子ユニット
３１…内導体
３２…本体部
３３…タブ
４０…誘電体
４７…第１係止部
４９…突起部
５０…前止まり部
５１…第２係止部
【図１】
2018152216.tif 000003
【図２】
2018152216.tif 000004
【図３】
2018152216.tif 000005
【図４】
2018152216.tif 000006
【図５】
2018152216.tif 000007
【図６】
2018152216.tif 000008
【図７】
2018152216.tif 000009
【図８】
2018152216.tif 000010
【図９】
2018152216.tif 000011
【図１０】
2018152216.tif 000012
【図１１】
2018152216.tif 000013
【図１２】
2018152216.tif 000014